(57)【特許請求の範囲】
【請求項１】
複数の導電端子を収納する絶縁ベースと、
絶縁ベースにスライド可能に組付けられ、且つ一つの側壁を有し、この側壁から保持部が外側に向かって延出され、該保持部に凸部が上向きに突出し、側壁と凸部との間に上向きに開口するチャンネルが形成されたカバーと、
前記保持部の上に位置して該保持部に支持されるハンドル、及びこのハンドルを接続するカム軸を含んでなり、前記カバーの保持部の凸部を受容するためのグルーブが前記ハンドルの下表面に形成され、さらに前記グルーブの一側が前記チャンネルに嵌め込まれることによって、前記ハンドルの側方向へのスライドを回避できる駆動装置と、
を含んでなることを特徴とするゼロ挿入力レセプタクルコネクタ。
【請求項２】
前記カバーに設けられた保持部の凸部は、前記ハンドルのグルーブの幅より小さく形成されていることを特徴とする請求項１に記載のゼロ挿入力レセプタクルコネクタ。
【請求項３】
前記カバーの側壁には、さらに係止ブロックが形成され、該係止ブロックが前記ハンドルに設けられた欠け口に係合することで、該ハンドルを支持するとともに、閉じた状態に保持することを特徴とする請求項１に記載のゼロ挿入力レセプタクルコネクタ。
【発明の詳細な説明】
【０００１】
【産業上の利用分野】
本発明は一種のゼロ挿入力レセプタクルコネクタ、特に改良した駆動装置を取り付けるゼロ挿入力レセプタクルコネクタ（Ｒｅｃｅｐｔａｃｌｅ−ｃｏｎｎｅｃｔｏｒ）に関するものである。
【０００２】
【従来の技術】
本発明に係る従来の技術におけるＵＳＰ５，６７９，０２０に示すように、周知のコネクタは、中央処理器チップモジュールなどを接続するのに用いられる。該周知ゼロ挿入力レセプタクルコネクタはベースと、ベースに対してスライド可能なカバーと、ベースとカバーとの間に組付けられた駆動装置とを含む。当該駆動装置は外部に露出して接触できるハンドル及び該ハンドルに一体成形されたカム軸を含み、そのカム軸はカバーに設置された上半矩形状グルーブとベースに設けられた下半グルーブに収納される。
【０００３】
【発明が解決しようとする課題】
しかし、誤操作により、ハンドルが間違い方向へ移動された場合、ハンドルを損害してしまう虞がある。
【０００４】
【発明の目的】
前記を鑑みにして、本発明は、一種駆動装置を有するゼロ挿入力レセプタクルコネクタを提供し、該駆動装置はハンドルが側方向への移動を防止すること目的である。
【０００５】
【課題を解決するための手段】
本発明は、絶縁ベースと、絶縁ベースにスライド可能に組付けられたカバーと、駆動装置とを含むゼロ挿入力レセプタクルコネクタであって、該駆動装置はベースとカバーの間に収容され、複数の導電端子がベースに収容され、カバーに保持部を設けた側壁が形成され、且つ、突部が該保持部の側部から上方向へ延出される。ハンドルとハンドルを接続するカム軸を含む駆動装置は略Ｌ字形に形成され、ハンドルは上表面と下表面を有する。下表面に矩形状グルーブは設置され、カバーに設けられた突部が収容されたため、ハンドルの側方向への移動が制限され、ハンドルの損壊を回避し得るものである。
【０００６】
【実施例】
図１に示すように、本発明のゼロ挿入力レセプタクルコネクタ１００は、絶縁ベース２と、該絶縁ベース２にスライド可能に組付けられたカバー１と、駆動装置３と、ベース２に収納された複数の導電端子４（その二つのみを示す）とを含む。
【０００７】
該絶縁ベース２はシート状の基体２１及び基体２１の一側から延出する結合部２２を含む。基体２１の導電端子４を収納するための互いに平行した複数端子収納溝２１０は基体２１の内部に形成される。結合部２２と垂直した基体２１の各側辺２１１に一対互いに分離した凸条２１２が形成される。該結合部２２上にさらに駆動装置３を収納するための円柱形グルーブ２２０が設けられる。
【０００８】
絶縁ベース２を被覆するカバー１は、上表面１０、下表面１１および該下表面１１が相対した両側からそれぞれ垂直に延出する一対の側壁１２を含む。首部１３は上表面１０の境界から延出され、且つ側壁１２に垂直される。側壁１２の首部１３に垂直する方向に上表面１０が突出され、さらに駆動装置３に合わせるための配合部１３１を設けている。前記保持部１４は側壁１２の外側に形成される。
【０００９】
図２に示すように、該保持部１４の一端部に平面部１４２を設け、他端部は斜台１４０を設けている。凸部１４１は斜台１４０の側部から上方向へ延出され、凸部１４１と側壁１４０の間にチャンネル１４３を形成する。保持部１４が設けられた側壁１２の外側に係止ブロット１５を設け、且つ側壁１２の内部にさらに凸条２１２をスライド可能に収納する一対の矩形状グルーブ（図示せず）が設けられる。カバー１内に絶縁ベース２の端子収納溝２１０に対応する複数貫通孔１６が設けられる。
【００１０】
図３に示すように、駆動装置３は略Ｌ字状に形成され、ハンドル３１と、ハンドル３１に垂直に延出するカム軸３０とを備える。該カム軸３０は一対の従動部３０２に隔てられた三つの環状回転部３０１及び該回転部３０１を接続する従動部３０２を含む。ハンドル３１の自由端３１４に相対する他端部はカム軸３０に接続され、該自由端３１４はハンドル３１の他部分よりやや薄く形成され、かつハンドル３１の頂面３１２および底面３１０に平行する。底面３１０には保持部１４の凸部１４１より幅大きい矩形状グルーブ３１１が設けられ、当該矩形状グルーブ３１１により凸部１４１を収納する。欠け口３１３は頂面３１２の一側辺に設けられ、カバー１の係止ブロット１５のスライドを制限するためのものである。
【００１１】
図１と図４に示すように、取り付ける時、まず、カム軸３０をベース２の結合部２２の円柱形グルーブ２２０内に設置してから、カバー１をベース２にスライド可能に組付け、且つその下表面１１にてベース２を覆うようになる。前記カム軸３０はカバー１の配合部１３１とベース２の結合部２２の間に挟持され、ハンドル３１がカバー１に垂直に位置された場合、中央処理装置チップモジュールの端子（図示せず）は、カバー１の貫通孔１６を通過した後、ゼロ挿入力で端子収納溝２１０に挿入することによって、端子収納溝２１０に設けられた導電端子と電気的に接続される。ハンドル３１が水平位置まで回転された時、回転部３０１は配合部１３１内に回転され、且つ従動部３０２と回転部３０１と同時に回転するとともに、カバー１がベース２上に摺動するように駆動される。ハンドル３１は水平に位置された時、前記ハンドル３１は、前記保持部１４の上に位置して、保持部１４に支持される。該ハンドル３１のグルーブ３１１の一側は、前記保持部１４のチャンネル１４３に嵌め込まれる。保持部１４の凸部１４１がハンドル３１の矩形状グルーブ３１１内に収納されるによって、ハンドル３１の側方向への移動が制限され、さらに駆動装置３を保護し損壊することを回避し得るものである。
【００１０】
前記を総じて、本発明は特許の要件を備えているので、法により特許を登録すべきである。また、前記は単なる本発明の具体的な実施例にすぎず、本発明の請求範囲を限定するものではないので、本発明に基づきなしうる細部の修飾或いは変更は、いずれも本発明の請求範囲に属するものとする。
【図面の簡単な説明】
【図１】本発明におけるゼロ挿入力レセプタクルコネクタの立体分解図である。
【図２】図１に示すゼロ挿入力レセプタクルコネクタのカバーの局部拡大図である。
【図３】図１に示すゼロ挿入力レセプタクルコネクタの駆動装置の立体図である。
【図４】本発明におけるゼロ挿入力レセプタクルコネクタが閉じた状態にある局部拡大図である。
【符号の説明】
１                          カバー
１００                      ゼロ挿入力レセプタクルコネクタ
１０                        上表面
１１                        下表面
１２                        側壁
１３                        首部
１３１                      配合部
１４                        保持部
１４０                      斜台
１４１                      凸部
１４２                      フラットフォーム
１４３                      チャンネル
１６                        貫通孔
１５                        係止ブロット
２                          絶縁ベース
２１                        基体
２１０                      端子収納溝
２１１                      側辺
２１２                      凸条
２２                        結合部
２２０                      円柱状グルーブ
３                          駆動装置
３０                        カム軸
３０１                      転動部
３０２                      従動部
３１                        ハンドル
３１１                      矩形状グルーブ
３１２                      頂面
３１３                      欠け口
３１４                      自由端
４                          導電端子
【図１】
0003987354.tif 000002
【図２】
0003987354.tif 000003
【図３】
0003987354.tif 000004
【図４】
0003987354.tif 000005